(57)【要約】【課題】ユーザーから表示器に表示されるメッセージ等の変更の要望があった際、複合機等が設置された現場でメッセージ部分を含む動作プログラムを作り直し、且つ変更しようとするメッセージ部分の妥当性の確認が可能である電子機器およびその管理方法を提供する。【解決手段】第１の情報を表示する表示部と、第１の情報および第１の情報の一部または全部を変更する第２の情報ならびに動作プログラムおよび動作プログラムの基となるソースコードが書き込まれる記憶部と、動作プログラムに基づいて処理を実行する制御回路と、管理装置が接続されている通信網に接続するための通信インターフェイスとを具備し、制御回路は、記憶部に書き込まれている第２の情報を管理装置へ送信し管理装置によって第２の情報が妥当であると判断された場合にのみソースコードと第１の情報と第２の情報とに基づいて動作プログラムを生成する。【選択図】図１
2015162201.tif 000002
【特許請求の範囲】
【請求項１】
第１の情報を表示する表示部と、
前記第１の情報および前記第１の情報の一部または全部を変更する第２の情報ならびに動作プログラムおよび当該動作プログラムの基となるソースコードが書き込まれる記憶部と、
前記動作プログラムに基づいて処理を実行する制御回路と、
管理装置が接続されている通信網に接続するための通信インターフェイスと
を具備し、
前記制御回路は、
前記記憶部に書き込まれている前記第２の情報を前記管理装置へ送信し当該管理装置によって当該第２の情報が妥当であると判断された場合にのみ前記ソースコードと前記第１の情報と当該第２の情報とに基づいて前記動作プログラムを生成する
ことを特徴とする電子機器。
【請求項２】
外部記憶装置を接続する外部インターフェイスを有し、
前記制御回路は、
前記記憶部に書き込まれている前記第２の情報を前記管理装置へ送信する前に前記外部記憶装置に書き込まれている前記第２の情報を前記記憶部に書き込む
ことを特徴とする請求項１に記載の電子機器。
【請求項３】
諸情報を送信するコンピューターが前記通信インターフェイスに接続され、
前記制御回路は、
前記記憶部に書き込まれている前記第２の情報を前記管理装置へ送信する前に前記コンピューターから送られてくる前記第２の情報を前記記憶部に書き込む
ことを特徴とする請求項１に記載の電子機器。
【請求項４】
前記管理装置によって前記第２の情報が妥当でないと判断された場合に、
前記制御回路は妥当でない理由を前記表示部に表示する
ことを特徴とする請求項１ないし請求項３の何れかに記載の電子機器。
【請求項５】
第１の情報を表示する表示部と、
前記第１の情報および前記第１の情報の一部または全部を変更する第２の情報ならびに動作プログラムおよび当該動作プログラムの基となるソースコードが書き込まれる記憶部と、
前記動作プログラムに基づいて処理を実行する制御回路と、
管理装置が接続された通信網に接続する通信インターフェイスと
を具備する電子機器において、
前記制御回路が前記記憶部に書き込まれている前記第２の情報を前記管理装置へ送信する第１の行程と、
前記管理装置が前記第２の情報が妥当であるか否かを判断する第２の行程と、
前記管理装置によって前記第２の情報が妥当であると判断された場合に前記ソースコードと前記第１の情報と当該第２の情報とに基づいて前記動作プログラムを生成する第３の行程と
を有する
ことを特徴とする電子機器の管理方法。
【請求項６】
前記第１の行程の前に、
外部記憶装置に書き込まれている前記第２の情報を前記記憶部に書き込む行程を有する
ことを特徴とする請求項５に記載の電子機器の管理方法。
【請求項７】
前記第１の行程の前に、
通信インターフェイスを介して外部のコンピューターから前記第２の情報が前記記憶部に書き込まれる行程を有する
ことを特徴とする請求項５に記載の電子機器の管理方法。
【請求項８】
前記管理装置によって前記第２の情報が妥当でないと判断された場合に、
前記制御回路が妥当でない理由を前記表示部に表示する行程を有する
ことを特徴とする請求項５ないし請求項７の何れかに記載の電子機器の管理方法。
【発明の詳細な説明】
【技術分野】
【０００１】
本発明は、操作メッセージ等を表示する表示器や操作メッセージを制御する制御プログラムを有するとともに、操作メッセージを変更するために当該操作メッセージを含む制御プラグラムを書き換えることのできる電子機器および電子機器の管理方法に関する。
【背景技術】
【０００２】
複合機（プリンター機能とスキャナー機能と通信機能を有し、プリンターの他にＦＡＸ機や複写機としても使用される装置）の多くは、コンピューターの周辺機器として使用される他、単独で使用されることも考慮して、液晶表示器等を有する操作パネルを備えている。
また、多くの地域で使用されることを考慮して、上述の液晶表示器等に表示されるメッセージも、その液晶表示器等の制御装置によって様々な言語の中から選択できるものが多い。
【０００３】
さらに、多数の言語のメッセージを予め制御装置に組み込むことには、様々な問題があるため、制御装置のプログラム（ファームウェア）を書き込んだ後に、メッセージ部分を更新して使用する例が多い。
ただし、制御装置のプログラムは大容量化したり複雑化することも多く、書き換えの際には長時間を要する場合もある。そこで、このような制御装置のプログラムを効率よく書き換える手法も提案されている（特許文献１参照）。
【先行技術文献】
【特許文献】
【０００４】
【特許文献１】特開２００４−３００１９号公報
【発明の概要】
【発明が解決しようとする課題】
【０００５】
しかしながら、上述のような液晶表示器等に異なる言語のメッセージを表示するためには、メッセージ部分の更新をする際、ビルドという作業（プログラムのソースを作り直す作業）が必要になる。
一般に、異なる言語のメッセージは予め翻訳業者が翻訳したものを使用するが、その言語の現地では違和感を受けるような場合もあり、ユーザー（または現地の販売業者）から修正を要望されることもある。このような場合にもビルドが必要であるため、速やかにユーザーの要望に応えることはできなかった。
【０００６】
本発明は、かかる点に鑑みてなされたものであり、その目的とするところは、ユーザーから表示器に表示されるメッセージ等の変更の要望があった際、複合機等の電子機器が設置された現場でメッセージ部分を含む動作プログラムを作り直し、且つ変更しようとするメッセージ部分の妥当性の確認が可能である電子機器および電子機器の管理方法を提供することにある。
【課題を解決するための手段】
【０００７】
本発明の電子機器は、第１の情報を表示する表示部と、前記第１の情報および前記第１の情報の一部または全部を変更する第２の情報ならびに動作プログラムおよび当該動作プログラムの基となるソースコードが書き込まれる記憶部と、前記動作プログラムに基づいて処理を実行する制御回路と、管理装置が接続されている通信網に接続するための通信インターフェイスとを具備し、前記制御回路は、前記記憶部に書き込まれている前記第２の情報を前記管理装置へ送信し当該管理装置によって当該第２の情報が妥当であると判断された場合にのみ前記ソースコードと前記第１の情報と当該第２の情報とに基づいて前記動作プログラムを生成することを特徴とする。
この電子機器は、外部記憶装置を接続する外部インターフェイスを有し、前記制御回路は、前記記憶部に書き込まれている前記第２の情報を前記管理装置へ送信する前に前記外部記憶装置に書き込まれている前記第２の情報を前記記憶部に書き込むことを特徴とする。
または、諸情報を送信するコンピューターが前記通信インターフェイスに接続され、前記制御回路は、前記記憶部に書き込まれている前記第２の情報を前記管理装置へ送信する前に前記コンピューターから送られてくる前記第２の情報を前記記憶部に書き込むことを特徴とする。
さらに、前記管理装置によって前記第２の情報が妥当でないと判断された場合に、前記制御回路は妥当でない理由を前記表示部に表示することを特徴とする。
また本発明の電子機器の管理方法は、第１の情報を表示する表示部と、前記第１の情報および前記第１の情報の一部または全部を変更する第２の情報ならびに動作プログラムおよび当該動作プログラムの基となるソースコードが書き込まれる記憶部と、前記動作プログラムに基づいて処理を実行する制御回路と、管理装置が接続された通信網に接続する通信インターフェイスとを具備する電子機器において、前記制御回路が前記記憶部に書き込まれている前記第２の情報を前記管理装置へ送信する第１の行程と、前記管理装置が前記第２の情報が妥当であるか否かを判断する第２の行程と、前記管理装置によって前記第２の情報が妥当であると判断された場合に前記ソースコードと前記第１の情報と当該第２の情報とに基づいて前記動作プログラムを生成する第３の行程とを有することを特徴とする。
この電子機器の管理方法は、前記第１の行程の前に、外部記憶装置に書き込まれている前記第２の情報を前記記憶部に書き込む行程を有することを特徴とする。
または、前記第１の行程の前に、通信インターフェイスを介して外部のコンピューターから前記第２の情報が前記記憶部に書き込まれる行程を有することを特徴とする。
さらに、前記管理装置によって前記第２の情報が妥当でないと判断された場合に、前記制御回路が妥当でない理由を前記表示部に表示する行程を有することを特徴とする。
【発明の効果】
【０００８】
本発明によれば、複合機等を設置した現場でメッセージ部分を含む動作プログラムを作り直し、且つ変更しようとするメッセージ部分の妥当性の確認が可能であるため、ユーザーからのメッセージ等の変更の要望に速やかに応えることができるという効果を奏する。
【図面の簡単な説明】
【０００９】
【図１】本発明の一実施の形態におけるＭＦＰ１の外観構成ならびに管理装置９やコンピューター１０との接続関係を示す図である。
【図２】本実施の形態におけるＭＦＰ１の電気的構成を示すブロック図である。
【図３】ＭＦＰ１の記憶部７２とフラッシュメモリー１０１の領域割り当てを示す図（メモリーマップ）である。
【図４】本実施の形態における液晶表示部６２に表示される処理の選択画面とメッセージの変更について説明する図である。
【図５】本実施の形態におけるメッセージ変更処理の流れを示す図である。
【図６】フラッシュメモリー１０１に書き込んだデータのダウンロードについて説明する図である。
【図７】記憶部７２におけるプログラムソースとメッセージ文字列とファームウェアの関係を示す図である。
【図８】メッセージの文字列が変更された後の液晶表示部６２の表示の例を示す図である。
【図９】本実施の形態において「妥当ではない」と判断されるようなメッセージの変更が要求された場合にフラッシュメモリー１０１に書き込まれる文字列や液晶表示部６２の表示の例を示す図である。
【発明を実施するための形態】
【００１０】
次に、本発明の実施の形態を、図面を参照して具体的に説明する。本実施の形態の画像形成装置は、電子写真方式を利用したＭＦＰ（Ｍulti Ｆunction Ｐeripheral：複合機）１である。図１および図２を参照すると、ＭＦＰ１はスキャナー部２とＡＤＦ（Ａuto Ｄocument Ｆeeder：原稿読み取り装置）３、本体部４、ならびに操作部６から構成されている。なおこれ以降、各図において同一構成要素には同一符号を付している。
【００１１】
このＡＤＦ３はスキャナー部２の上部に配設され、スキャナー部２は本体部４の上部に配設されている。また、スキャナー部２と本体部４との間には、排紙空間４０が形成されている。なお本実施の形態は、ＭＦＰ１を適用する例を説明するが、本発明の画像形成装置には、プリンターや複写機等が含まれることは、言うまでもない。
【００１２】
ＡＤＦ３は、原稿載置部３１に載置された原稿（図示省略）を１枚ずつ順に繰り出し、この原稿をスキャナー部２上の対向する位置へ搬送する。スキャナー部２は、搬送された原稿の表面の画像を読み取る。なお、スキャナー部２およびＡＤＦ３の内部については一般的な構成であるので、本実施の形態では図示並びに詳細な説明は省略する。
【００１３】
本体部４には、印刷部５と給紙カセット４１とを有している。この印刷部５の主な構成要素や給紙カセット４１の内部構成については、一般的なものと同等であるので、本実施の形態では図示並びに詳細な説明は省略するが、給紙カセット４１から記録紙（図示省略）を繰り出し、この記録紙の表面にトナーによって画像を形成し、熱定着等の処理を経て、記録紙Ｐを排紙空間４０へ排出する。
【００１４】
操作部６は、操作ボタン６１や液晶表示部６２を有しており、さらに操作部６内（操作ボタン６１ならびに液晶表示部６２の下方）には制御部７が設けられている。
制御部７は、ＣＰＵ（Ｃentral Ｐrocessing Ｕnit：中央処理装置）７１や記憶部７２、通信Ｉ／Ｆ（Ｉnterｆace：インターフェイス）７３、外部バスＩ／Ｆ７４等から構成されている。
【００１５】
記憶部７２は、図３（ａ）に示すように不揮発領域ならびに揮発領域から構成されている。この不揮発領域には、電力を供給しなくても情報を保持し得るフラッシュメモリー（flash memory：電気的書き換え可能半導体記憶装置の一種）やＰＲＯＭ（Ｐrogrammable Ｒead Ｏnly Ｍemory）、ＨＤＤ（Ｈard Ｄisk Ｄrive：固定磁気記憶装置）等が用いられる。また不揮発領域には、主に生産時や工場出荷時に諸情報が書き込まれる固定領域が含まれる。
【００１６】
不揮発領域には、言語設定領域やＭＦＰ１全体を制御するファームウェア（制御プログラム）領域、後述するメッセージ入力領域、ＭＦＰ１全体に関する各種設定情報領域等が設けられている。
また、上述の制御するファームウェアのソースを格納するプログラムソース領域や後述するメッセージ格納領域等も不揮発領域に設けられているが、通常これらは書き換えられることはないので、固定領域に設けられている。
【００１７】
一方、揮発領域にはＲＡＭ（Ｒandom Ａccess Ｍemory：随時読み書き可能記憶装置）等が用いられる。
揮発領域には、スキャナー部２によって読み取った画像をデータ化して一時的に記憶する画像データ領域等が設けられている。なお、この画像データは、上述の不揮発領域に長期的に記憶される場合もある。
【００１８】
通信Ｉ／Ｆ７３は、公衆電話回線やＬＡＮ（Ｌocal Ａrea Ｎetwork）等の通信網８に接続され、ファクシミリを送受信したり、ＭＦＰ１と同様に通信網８に接続された管理装置９やコンピューター１０-1との間で情報を送受信するものである。なお、通信網８を介さずに例えばコンピューター１０-2と接続する際のインターフェイスも、この通信Ｉ／Ｆ７３に含まれる。また、図示ならびに詳細な説明はしないが、通信網８には本実施の形態のものと同様の複数のＭＦＰ１、ＭＦＰ１・・・が接続され得ることは、言うまでもない。
【００１９】
これらコンピューター１０-1、コンピューター１０-2・・・は、一般にＭＦＰ１の近傍（もしくは近隣）に設けられ、このＭＦＰ１を周辺機器として使用する他、ＭＦＰ１のファームウェアや設定を変更する際にも使用される。
なおこれ以降、必要に応じてこれらコンピューター１０-1、コンピューター１０-2・・・を、単にコンピューター１０と称する。
【００２０】
上述の管理装置９は、一般的にはＭＦＰ１の使用状況や定期的なメンテナンスの管理、突発的な障害に際して、応急または恒久的な対応処理を自動もしくは手動で施す目的で設けられる。
本実施の形態の管理装置９ではこれに加えて、ＭＦＰ１の液晶表示部６２に表示されるメッセージの変更に際して、その妥当性や整合性を検証するための翻訳機能や言語翻訳テーブルを備えているとともに、管理装置９だけでは妥当性や整合性の判断ができない場合にオペレーター９０による判断を仰ぐための入出力機能等を備えている。
また本実施の形態では、コンピューター１０はＭＦＰ１の設置現場１２（またはその近傍）に設置され、管理装置９は工場や販売拠点（何れも図示省略）等、設置現場１２に対して遠隔地に設置されている。
【００２１】
これらコンピューター１０は、外部メモリー等を接続するためのＵＳＢ（Ｕniversal Ｓerial Ｂus）インターフェイス等（図示省略）と、ＵＳＢデバイスの形態を採るフラッシュメモリー１０１等を接続するための外部バス端子７５ａを備えている。
フラッシュメモリー１０１は図３（ｂ）に示すように、各アドレスｘ０００、ｘ００１・・・に、コードとメッセージ（後述）を書き込むことができるようになっている。
【００２２】
ＭＦＰ１に設けられた外部バスＩ／Ｆ７４にも、コンピューター１０と同様にＵＳＢインターフェイスが用いられ、この外部バスＩ／Ｆ７４に外部の機器を接続するための外部バス端子７５ｂが、操作部６の側面等に設けられている。
こうしたＭＦＰ１の各部は、図２に示すようにバス１１に接続され、ＣＰＵ７１は記憶部７２に記憶された制御プログラムに（ファームウェア）基づいて、各種処理を行う。
【００２３】
このような構成のＭＦＰ１で、次の処理の指示待ちの際には、図４（ａ）に示すように、次の処理の選択画面が液晶表示部６２に表示される。この場合、このＭＦＰ１のユーザーは、例えば原稿をコピーする場合にはボタン６１-1を押下し、原稿をＦＡＸで送信する場合にはボタン６１-2を押下するという具合に、操作ボタン６１を操作して希望の処理に対応する番号を選択する（液晶表示部６２がタッチパネル等を有していれば、液晶表示部６２の領域６２ａ-1を直接操作することも可能である）。
【００２４】
次の処理の指示待ちの際に液晶表示部６２の領域６２ａ-1および領域６２ａ-2に表示されるメッセージは、図３（ａ）に示した記憶部７２のメッセージ領域に予め格納されており、言語１あるいは言語２、言語３・・・の何れかを選択すると、例えば領域６２ａ-1に表示する数字に対応するコード番号の文字列が領域６２ａ-2に表示される。
即ち、図４（ａ）の例では言語１が選択されており、従って液晶表示部６２の領域６２ａ-1で「（１）」（丸付き数字１を、このように表す。以下、丸付き数字は同様）に対応する位置にはコード番号１の「コピー」が表示され、同「（２）」に対応する位置にはコード番号２の「ファクス」が表示されている（以降同様）。
【００２５】
ここで例えば、特定の地域向けに図３（ａ）に示す記憶部７２のメッセージ領域として言語２を選択すると、液晶表示部６２には図４（ｂ）に示すようなメッセージが表示される。
ところが、ユーザー等から「（３）」のメッセージ６２ｂ-1の「Ｓｃａｎ」という表記は適正ではないので、メッセージ６２ｂ-2のように「Ｓｃａｎｎｅｒ」という表記に変更して欲しい旨の要望があったものとする。その際の変更処理の手順について、図５を参照して以下に説明する。なお図５では、破線より左がＭＦＰ１（設置現場１２）側の処理であり、破線より右が管理装置９側の処理である。
【００２６】
本実施の形態では、液晶表示部６２の領域６２ａ-2（図４（ａ）参照）に表示されるメッセージを変更する場合、コンピューター１０によって、まず変更したいメッセージの文字列をフラッシュメモリー１０１に書き込む（Ｓｔｅｐ１１）。
なおこの作業は、フラッシュメモリー１０１をコンピューター１０の外部バス端子７５ａに接続して行う。
【００２７】
ここでは、図４（ｂ）に示すように「（３）」のメッセージ６２ｂ-1の位置の表記を「Ｓｃａｎｎｅｒ」に変更するので、図６（ａ）に示すようにフラッシュメモリー１０１における［コード］３に対応するアドレスに、［メッセージ］として「Ｓｃａｎｎｅｒ」という文字列を書き込む。
なお、メッセージを変更しない部位（位置）に関しては、フラッシュメモリー１０１において対応するアドレスは空欄とするが、空白文字と区別するために、本実施の形態では「―――」を便宜上の空欄とする。
【００２８】
次に、変更すべきメッセージの文字列が書き込まれたフラッシュメモリー１０１を、ＭＦＰ１の外部バス端子７５ｂに接続する（Ｓｔｅｐ１２）。外部バス端子７５ｂにフラッシュメモリー１０１が接続されると、ＣＰＵ７１はフラッシュメモリー１０１に書き込まれたデータをダウンロードする（Ｓｔｅｐ１３）。
このダウンロードとは、図６（ａ）ならびに図６（ｂ）に示すように、フラッシュメモリー１０１に書き込まれたメッセージの文字列を読み出し、記憶部７２におけるメッセージ入力領域の該当位置に書き込むことである。
【００２９】
ここでＣＰＵ７１は、記憶部７２のメッセージ入力領域にダウンロードしたメッセージの文字列と、これに付随するデータ（言語設定情報等）を、通信Ｉ／Ｆ７３から通信網８を介して管理装置９へ送信する（Ｓｔｅｐ１４）。
管理装置９は、データを送信したＭＦＰ１で選択されている言語（図３（ａ）に示す言語１、言語２、言語３・・・の何れか）に対して、受信した文字列の妥当性（意味が正しいか、他の言語ではないか、異なる処理内容ではないか等）を検証する（Ｓｔｅｐ１５）。
ここで管理装置９は、ＭＦＰ１から送られてきた文字列に妥当性がある（本来のメッセージの文字列から変更しても障害とはならない）と判断した場合、このメッセージが「妥当である」旨をＭＦＰ１に対して返信する（Ｓｔｅｐ２１）。
【００３０】
管理装置９から（メッセージが「妥当である」旨の）返信を受けたＣＰＵ７１は、記憶部７２に書き込まれているプログラムソース中、メッセージに相当する部分を同メッセージ入力領域の文字列に書き換え、ビルドを行う（Ｓｔｅｐ２２）。即ちここで言うビルドとは、図７に示すように、記憶部７２に書き込まれているプログラムソースに、メッセージの文字列（図７の例では言語２）とメッセージ入力領域に書き込まれている変更データとを盛り込んで再構築し、コンパイルした実行ファイルをファームウェア領域に書き込むことである。なお、本来は固定領域のデータは書き換えられるものではないが、図７では便宜上、変更されてファームウェアに取り込まれるメッセージの文字列を示している。
こうして、記憶部７２に再度書き込まれたファームウェアが実行されると、液晶表示部６２のメッセージ６２ｂ-1’の表示は、図８に示すように「Ｓｃａｎｎｅｒ」に変更される。
【００３１】
ここで、上述のＳｔｅｐ１５で受信した文字列の妥当性を検証する際に、妥当ではないと判断される例について説明する。図９（ａ）は図４（ｂ）に対応するものであるが、図９（ａ）の例では、ユーザー等から「（４）」のメッセージ６２ｂ-3の「Ｓｅｎｄ」という表記に代えて、メッセージ６２ｂ-4のように「送る」という表記に変更して欲しい旨の要望があったものとする。
図９（ａ）のような要望に基づいて液晶表示部６２のメッセージ６２ｂ-3に表示されるメッセージを変更する場合、フラッシュメモリー１０１における［コード］４に対応するアドレスには、図９（ｂ）に示すように［メッセージ］として「送る」という文字列を書き込む。
【００３２】
しかしながら本実施の形態では、上述の通りメッセージとして言語２を選択しており（図６参照）、「Ｓｅｎｄ」に代わるメッセージとして「送る」は妥当でない。
管理装置９は、メッセージの変更に際して、その妥当性や整合性を検証するための翻訳機能や言語翻訳テーブルを備えているので、Ｓｔｅｐ１５ではＭＦＰ１から送られてきた文字列に妥当性がない（この場合、言語が異なる）と判断し、このメッセージが「妥当ではない」旨と、その理由等をＭＦＰ１に対して返信する（Ｓｔｅｐ３１）。
図９（ｃ）に示すように、液晶表示部６２のメッセージ６２ｂ-5位置に、妥当ではない理由を表示する（Ｓｔｅｐ３２）。
【００３３】
このように本発明の実施の形態では、液晶表示器等に表示するメッセージ部分を変更する場合、複合機を設置した現場でメッセージ部分を含む動作プログログラムの作り直しが行われ、且つ変更しようとするメッセージ部分の妥当性の確認が可能である。従って、速やかにユーザーの要望に応えることができる。
【００３４】
なお、本発明が上記各実施の形態に限定されず、本発明の技術思想の範囲内において、各実施の形態は適宜変更され得ることは明らかである。
例えば上述の実施の形態では、メッセージ部分の変更に際してコンピューター１０-2に接続したフラッシュメモリー１０１に文字列を書き込み、このフラッシュメモリー１０１をＭＦＰ１に接続して文字列を記憶部７２に書き込んでいるが、コンピューター１０-1のように通信網８に接続されたものであれば、コンピューター１０-1から通信網８を介してＭＦＰ１の記憶部７２に書き込んでもよい。
【００３５】
また、上述の実施の形態では、液晶表示部６２に表示されるメッセージの内、１つの文字列のみを変更する例を示したが、２つ以上の文字列を同時に変更するものであってもよい。
この場合、管理装置９が２つ以上の文字列について同時に妥当性を判断し、「妥当である」と「妥当ではない」の判断結果が混在する返信をした場合に、ＣＰＵ７１は文字列の各々の判定結果に応じてメッセージを変更したファームウェアをビルドしたり液晶表示部６２に妥当ではない理由を表示するものであってもよい。
【００３６】
さらには、常にこのような処理を経てファームウェアを書き換えることで、管理装置９には各ＭＦＰ１の状態の記録が残ることになる。
【符号の説明】
【００３７】
１  ＭＦＰ（電子機器）
８  通信網
９  管理装置
１０  コンピューター
６２  液晶表示部（表示部）
７１  ＣＰＵ（制御回路）
７２  記憶部
７３  通信インターフェイス（通信Ｉ／Ｆ）
７４  外部インターフェイス（外部バスＩ／Ｆ）
１０１  フラッシュメモリー（外部記憶装置）
【図１】
2015162201.tif 000003
【図２】
2015162201.tif 000004
【図３】
2015162201.tif 000005
【図４】
2015162201.tif 000006
【図５】
2015162201.tif 000007
【図６】
2015162201.tif 000008
【図７】
2015162201.tif 000009
【図８】
2015162201.tif 000010
【図９】
2015162201.tif 000011